(57)【要約】【課題】  共有チャネルにおける親端末が従える子端末の台数に応じた帯域を、親端末に割り当てることができる無線通信システムを提供する。【解決手段】  近距離通信で互いに連携可能であり、同一のデータを要求する複数の通信端末１０のうち、一の親端末１０ａを決定すると共に、当該親端末が親端末１０ａ以外の通信端末１０を子端末１０ｂとしてグルーピングする通信端末群と、親端末１０ａに対して共有チャネルにおける帯域を割り当てる無線制御サーバ１１０とを備える無線通信システムであって、親端末１０ａは、自端末及び子端末１０ｂの端末情報を、無線制御サーバ１１０に送信すると共に、無線制御サーバ１１０からのデータを受信して、当該データを子端末１０ｂに送信し、無線制御サーバ１１０は、親端末１０ａから送信された端末情報に基づき、当該親端末１０ａに対する共有チャネルにおける帯域を割り当て、データを親端末１０ａに送信する。【選択図】        図１Ａ
2010233104.tif 000002
【特許請求の範囲】
【請求項１】
近距離通信で互いに連携可能であり、同一のデータを要求する複数の通信端末のうち、一の親端末を決定すると共に、当該親端末以外の通信端末を子端末として親端末がグルーピングする通信端末群と、前記データを提供するサーバから前記親端末へのデータのアクセスにあたり、当該親端末に対して共有チャネルにおける帯域を割り当てる無線制御サーバとを備える無線通信システムであって、
前記親端末は、自端末の端末情報及び前記子端末から前記近距離通信で取得した子端末の端末情報を、前記無線制御サーバに送信すると共に、前記無線制御サーバからのデータを受信して、当該データを前記子端末に前記近距離通信で送信し、
前記無線制御サーバは、前記親端末から送信された端末情報に基づき、当該親端末に対する共有チャネルにおける帯域を割り当て、前記データを前記親端末に送信することを特徴とする無線通信システム。
【請求項２】
近距離通信で互いに連携可能であり、同一のデータを要求する複数の通信端末のうち、一の親端末を決定すると共に、当該親端末が親端末以外の通信端末を子端末としてグルーピングする通信端末群に対して、前記データを提供するサーバとのデータのアクセスにあたり、当該親端末に対して共有チャネルにおける帯域を割り当てる無線制御サーバであって、
前記通信端末から受信した端末情報が複数の端末情報であるか否かを判定する加入者認証部と、
前記加入者認証部による判定結果に基づき、前記親端末に対する共有チャネルの占有率を決定する共有チャネルリソース情報判断部と、
前記決定した占有率に基づき、前記親端末に対して共有チャネルにおける帯域を割り当てる共有チャネルリソース割当制御部と、
を備えていることを特徴とする無線制御サーバ。
【請求項３】
近距離通信で互いに連携可能であり、同一のデータを要求する複数の通信端末のうち、一の親端末を決定すると共に、当該親端末が親端末以外の通信端末を子端末としてグルーピングする通信端末群における、通信端末であって、
前記データを選択する入力部と、
前記データを提供するサーバとのデータのアクセスにあたり、前記親端末に対する共有チャネルにおける帯域を割り当てる無線制御サーバ、又は他の通信端末との無線通信を、キャリアコアネットワークを介して行う遠距離無線通信部と、
前記キャリアコアネットワークを介することなく、前記他の通信端末との無線通信又は有線通信を行う近距離通信部と、
自端末の端末情報を格納する端末情報格納部と、
前記サーバからアクセスしたデータを格納するデータ格納部と、
自端末が親端末になるか否かを判定すると共に、自端末が親端末になる場合に、前記端末情報格納部から自端末の端末情報を取得し、当該自端末の端末情報及び前記子端末から受信した子端末の端末情報を、前記無線制御サーバに対して送信するアプリケーション部と、
を備え、
前記アプケーション部が、自端末が親端末である場合に、前記無線制御サーバからのデータを受信し、当該データを前記データ格納部に格納すると共に、当該データを前記子端末に送信することを特徴とする通信端末。
【請求項４】
前記請求項３に記載の通信端末において、
自端末における無線品質を測定し、当該測定した無線品質の情報を格納する無線品質状況管理部を備え、
前記アプリケーション部が、前記無線品質状況管理部から自端末の無線品質情報を取得し、当該自端末の無線品質情報及び他の通信端末から受信した当該他の通信端末の無線品質情報を比較して、自端末が親端末になるか否かを判定することを特徴とする通信端末。
【請求項５】
近距離通信で互いに連携可能であり、同一のデータを要求する複数の通信端末のうち、一の親端末を決定すると共に、当該親端末が親端末以外の通信端末を子端末としてグルーピングする通信端末群における、通信端末のコンピュータを機能させる制御プログラムであって、
コンピュータを、前記データを選択する入力手段と、前記データを提供するサーバとのデータのアクセスにあたり、前記親端末に対する共有チャネルにおける帯域を割り当てる無線制御サーバ、又は他の通信端末との無線通信を、キャリアコアネットワークを介して行う遠距離無線通信手段と、前記キャリアコアネットワークを介することなく、前記他の通信端末との近距離無線通信又は有線通信を行う近距離通信手段と、自端末の端末情報を格納する端末情報格納手段と、前記サーバからアクセスしたデータを格納するデータ格納手段と、自端末が親端末になるか否かを判定すると共に、自端末が親端末になる場合に、前記端末情報格納手段から自端末の端末情報を取得し、当該自端末の端末情報及び前記子端末から受信した子端末の端末情報を、前記無線制御サーバに対して送信するアプリケーション手段として機能させる制御プログラム。
【請求項６】
前記請求項５に記載の制御プログラムにおいて、
前記コンピュータを、自端末における無線品質を測定し、当該測定した無線品質の情報を格納する無線品質状況管理手段として機能させ、
前記アプリケーション手段が、前記無線品質状況管理手段から自端末の無線品質情報を取得し、当該自端末の無線品質情報及び他の通信端末から受信した当該他の通信端末の無線品質情報を比較して、自端末が親端末になるか否かを判定することを特徴とする制御プログラム。
【発明の詳細な説明】
【技術分野】
【０００１】
本発明は、相互に近距離通信可能な複数の通信端末のうちの親となる通信端末を定め、親端末が代表して１台で、他の通信端末（以下、子端末と称す）の通信も含めて外部ネットワークに通信する無線通信システムに関する。
【背景技術】
【０００２】
第３世代（３Ｇ）携帯電話方式「W（Wideband：広帯域）-CDMA（Code Division Multiple Access：符号分割多重接続）」のデータ通信を高速化した規格としては、HSDPA（High Speed Uplink Packet Access）及びHSUPA（High Speed Downlink Packet Access）がある。HSDPAは、下り（基地局から端末）方向のパケット通信速度を向上させる技術であり、HSUPAは、上り（端末から基地局）方向のパケット通信速度を向上させる技術であり、これらをHSPA（High Speed Packet Access）と総称する場合もある。
また、第３世代携帯電話方式「W-CDMA」の高速データ通信規格「HSPA」をさらに進化させたものとして、Super3G（S3G）という規格がある。
【０００３】
これらのHSDPA、HSUPA及びS3G等の高速データ通信規格による高速無線通信は、共有チャネルを使用するベストエフォート型（サービスの品質（QoS）の保証がない通信ネットワーク）のサービスである。このため、この通信ネットワークに接続する通信端末（ユーザ）が増えるほど、複数のユーザが同時にデータ通信を行う場合に、個々のスループットが低下する。なお、共有チャネルは、５ＭＨｚ幅の全帯域を一つの物理チャネルとしてユーザが共有し、利用できる全帯域を有効利用でき、時間多重及びコード多重を利用して、複数の音声及びデータを必要とするユーザに帯域を割り当てている。
【０００４】
特に、同じ領域内において、複数のユーザが同じペイロードデータを扱う場合であっても、各ユーザに対して共有チャネルにおける帯域（リソース）を個別に確保するために、無線帯域を無駄に使用してしまうという課題がある。なお、同じ領域内において、複数のユーザが同じペイロードデータを扱う場合としては、例えば、子供同士が集まってネットワークゲームを行う場合や、家族等のコミュニティーで同じコンテンツ（映画等）をダウンロードする場合が想定される。
【０００５】
これに対し、従来の通信システムは、通信端末を使用してチャットなどのネットワーク・アプリケーションを利用する場合に、１つの通信端末を親機として、通信端末の有する無線リンク機能により、複数の通信端末をローカルにリンクする（例えば、特許文献１参照）。
【０００６】
また、従来の無線LANシステムは、通常時における第１の状態と、制御委譲時における第２の状態と、を切り替えるように各送受信手段が制御される。そして、第１の状態においていずれかの子通信装置への制御委譲事由が発生すると、子通信装置の送受信手段をオンにすることを許可する制御委譲信号が、親通信装置から各近距離無線通信手段を介して当該子通信装置に伝達される。これにより、第２の状態への切り替えが行われるようにする（例えば、特許文献２参照）。
【０００７】
また、従来の無線会議システムの仮親決定方式は、無線端末が、自端末の端末情報を記憶する自端末情報記憶部と、他無線端末から送られる端末情報を一時的に記憶する他端末情報記憶部と、その記憶した端末情報を元に、仮親になるのに適した無線端末を決定する親機決定部を持つ。この親機決定部は、送信パワー、バッテリー情報、ネットワークアドレス情報などの端末情報の中から特定の情報を基準として仮親を決定する（例えば、特許文献３参照）。
【先行技術文献】
【特許文献】
【０００８】
【特許文献１】特開２００１−２４４９２８号公報
【特許文献２】特許３７５９９２８号公報
【特許文献１】特開平１１−１４６０３０号公報
【発明の概要】
【発明が解決しようとする課題】
【０００９】
しかしながら、従来の通信システム、無線LANシステム及び無線会議システムの仮親決定方式では、親機（親通信装置）に従える子機（子通信装置）の台数を、ネットワーク側で認識することができない。このため、従来の通信システム等では、キャリア回線の使用料（以下、回線使用料と称す）やコンテンツの使用料（以下、コンテンツ使用料と称す）に関する課金を、親機分しか行うことができないという課題がある。
【００１０】
なお、子機を親機に従えることで、共通チャネルにおける、本来、子機に割り当てられるべき帯域を削減できるため、親機は、従える子機が多いほど、共有チャネルにおける帯域の使用率の軽減に寄与する。しかしながら、従来の通信システム等では、仮に、親機に従える子機の台数をネットワーク側で認識できる構成にしても、親機に従える子機の台数に反映して共有チャネルの帯域を割り当てる構成ではなく、共有チャネルの占有率の軽減に見合う見返りがないという課題がある。
【課題を解決するための手段】
【００１１】
無線通信システムは、同一のコンテンツを要求する複数の通信端末のうち、各通信端末の無線品質に応じて一の親端末を決定すると共に、当該親端末以外の通信端末を子端末としてグルーピングされる通信端末群を備えている。また、無線通信システムは、コンテンツを提供するアプリケーションサーバから親端末へのコンテンツデータのダウンロードにあたり、当該親端末に対して共有チャネルにおける帯域を割り当てる無線制御サーバを備えている。この親端末は、自端末の端末情報及び子端末から取得した子端末の端末情報を、無線制御サーバに送信すると共に、無線制御サーバからのコンテンツデータを受信して、当該コンテンツデータを子端末に送信する。また、無線制御サーバは、親端末から送信された端末情報に基づき、当該親端末に対する共有チャネルにおける帯域を割り当て、コンテンツデータを親端末に送信する。
【発明の効果】
【００１２】
開示の無線通信システムは、共有チャネルにおける、親端末が従える子端末の台数に応じた帯域を、親端末に割り当てることができるうえ、親端末及び子端末の全ての通信端末に対して、回線使用料及びコンテンツ使用料に関する課金を行うことができるという効果を奏する。
【図面の簡単な説明】
【００１３】
【図１Ａ】第１の実施形態に係る無線通信システムの概要の一例を示す概念図である。
【図１Ｂ】図１Ａに示す無線通信システムの概略構成の一例を示すブロック図である。
【図２Ａ】図１に示す通信端末の概略構成の一例を示すブロック図である。
【図２Ｂ】図１に示す無線制御サーバの概略構成の一例を示すブロック図である。
【図３】複数の通信端末から親端末及び子端末を決定する処理手順の一例を示すフローチャートである。
【図４】図３に示すフローチャートに対応する通信端末におけるデータの流れの一例を示す説明図である。
【図５】親端末が通信端末群を代表して子端末の代わりにコンテンツを要求する処理手順の一例を示すフローチャートである。
【図６】図５に示すフローチャートに対応する通信端末におけるデータの流れの一例を示す説明図である。
【図７】ネットワーク側における処理手順の一例を示すフローチャートである。
【図８】図７の続きの一例を示すフローチャートである。
【図９】図８の続きの一例を示すフローチャートである。
【図１０】図７乃至図９に示すフローチャートに対応するネットワーク側におけるデータの流れの一例を示す説明図である。
【図１１】親端末が子端末にコンテンツデータを配信する処理手順の一例を示すフローチャートである。
【図１２】図１１に示すフローチャートに対応する通信端末におけるデータの流れの一例を示す説明図である。
【図１３】無線制御サーバによる子端末に対する個別認証の一例を説明するための説明図である。
【図１４】近距離無線通信圏外に存在する通信端末に対する端末情報の収集及びデータ配信の一例を説明するための説明図である。
【図１５】子端末の端末情報の暗号化を行う場合の一例を示すブロック図である。
【図１６】携帯無線通信の経路保護を行う場合の一例を示すブロック図である。
【図１７】携帯無線通信の経路保護を行う場合の一例を示すブロック図である。
【図１８】回線使用料の課金割合を変更する場合の一例を示すブロック図である。
【図１９】第１の実施形態に係る実施例の一例を説明するためのシーケンス図である。
【図２０Ａ】通信端末のディスプレイに表示される画面の一例を示す説明図である。
【図２０Ｂ】通信端末のディスプレイに表示される画面の他の例を示す説明図である。
【図２０Ｃ】携帯無線リンク確立要求のデータフォーマットの一例を示す説明図である。
【発明を実施するための形態】
【００１４】
ここで、本発明は多くの異なる形態で実施可能である。したがって、下記の実施形態の記載内容のみで解釈すべきではない。また、実施形態の全体を通して同じ要素には同じ符号を付けている。
【００１５】
実施形態では、主にシステムについて説明するが、いわゆる当業者であれば明らかな通り、本発明はコンピュータで使用可能なプログラム、方法としても実施できる。また、本発明は、ハードウェア、ソフトウェア、又は、ソフトウェア及びハードウェアの実施形態で実施可能である。プログラムは、ハードディスク、CD-ROM、DVD-ROM、光記憶装置又は磁気記憶装置等の任意のコンピュータ可読媒体に記録できる。さらに、プログラムはネットワークを介した他のコンピュータに記録することができる。
【００１６】
（本発明の第１の実施形態）
図１Ａにおいて、通信端末１０は、電気通信事業者（以下、キャリアと称す）が提供する通信サービスにより、キャリアが構築したネットワーク（以下、キャリアコアネットワーク１００と称す）との間で双方向に無線通信が可能な端末装置である。また、通信端末１０は、キャリアコアネットワーク１００を介して、キャリアコアネットワーク１００に接続する外部のネットワーク（以下、外部ネットワーク２００と称す）に属するアプリケーションサーバ２１０にアクセスできるものである。このアプリケーションサーバ２１０は、通信端末１０からの要求に応じて、人が観賞するひとまとまりの情報であり、例えば、ニュース、映画、テレビ番組、歌、ビデオゲーム、マンガ、アニメ等のコンテンツを提供するサーバである。
【００１７】
なお、以下の説明においては、通信端末１０として、携帯電話を例に挙げて説明するが、キャリアコアネットワーク１００を介しての無線通信（以下、遠距離無線通信と称す）が可能であれば、携帯電話に限られるものではない。
【００１８】
図２Ａにおいて、通信端末１０は、後述する入力部１、近距離通信部２、遠距離無線通信部３、無線品質状況管理部４、端末情報格納部５、データ格納部６及びアプリケーション部７を備えている。特に、通信端末１０は、同一のコンテンツを要求する複数の通信端末１０のうち、各通信端末１０の無線品質に応じて一の親端末１０ａを決定すると共に、当該親端末１０ａ以外の通信端末１０を子端末１０ｂとしてグルーピングされる通信端末群の一部を構成する。
入力部１は、ユーザインターフェースに相当するブロックであり、テンキーやタッチパネル等であり、通信端末１０のユーザが所望のコンテンツを選択するための手段である。
【００１９】
近距離通信部２は、携帯無線通信とは異なり、キャリアコアネットワーク１００を介することなく、他の通信端末１０との無線通信（以下、近距離無線通信と称す）又は有線通信を行うブロックである。なお、近距離通信部２は、近距離無線通信に対応させるのであれば、例えば、Bluetooth（登録商標）やWi-Fi（登録商標）等の技術を利用する。また、近距離通信部２は、有線通信に対応させるのであれば、USB（Universal Serial Bus）ケーブル等を用いて他の通信端末１０に接続し、有線リンクを確立する。
【００２０】
遠距離無線通信部３は、携帯無線通信を行うブロックであり、キャリアコアネットワーク１００を介して他の通信端末１０又は無線制御サーバ１１０との遠距離無線通信を行う。
【００２１】
無線品質状況管理部４は、自端末における無線品質の情報（以下、無線品質情報と称す）を管理するブロックであり、常時、自端末における無線品質を測定し、当該測定した無線品質の情報（無線品質情報）を格納する。
【００２２】
端末情報格納部５は、自端末の端末情報を格納するブロックであり、例えば、携帯電話会社が発行するSIM（Subscriber Identity Module）又はUSIM（Universal SIM）等の汎用ICカード（UICC:Universal Integrated Circuit Card）を、通信端末１０のソケットに挿入し、ユーザの識別に使用する。なお、SIMカードは、同様の機能を持つSIMから機能拡張が行われ、契約者情報（固有の番号等）以外に、電話帳などのプライベートな情報や、クレジット決済用の個人識別情報等を暗号化して登録することも可能である。
【００２３】
データ格納部６は、アプリケーションサーバ２１０からダウンロードしたコンテンツデータを格納するブロックである。また、データ格納部６は、アプリケーションサーバ２１０にアップロードするデータを格納するブロックである。
【００２４】
アプリケーション部７は、既存の通信端末に対して新規に追加されたブロックであり、通信端末群のうち親端末１０ａが代表してコンテンツをダウンロードするサービス（以下、代表端末ダウンロードサービスと称す）を行うアプリケーションに相当する。すなわち、アプリケーション部７は、無線品質状況管理部４から自端末の無線品質情報を取得し、当該自端末の無線品質情報及び他の通信端末１０から受信した当該他の通信端末１０の無線品質情報を比較して、自端末が親端末１０ａになるか否かを判定する。また、アプリケーション部７は、自端末が親端末１０ａになる場合に、端末情報格納部５から自端末の端末情報を取得し、当該自端末の端末情報及び子端末１０ｂから受信した子端末１０ｂの端末情報を、無線制御サーバ１１０に対して送信する。また、アプケーション部７は、自端末が親端末１０ａである場合に、無線制御サーバ１１０からのコンテンツデータを受信し、当該コンテンツデータをデータ格納部６に格納すると共に、当該コンテンツデータを子端末１０ｂに送信する。
【００２５】
図１Ｂにおいて、キャリアコアネットワーク１００は、後述する無線制御サーバ１１０、携帯無線通信網に加入しているユーザの管理を行う既存の加入者情報管理サーバ１２０、及び各ユーザに対する課金の管理を行う既存の課金管理サーバ１３０を備えている。また、キャリアコアネットワーク１００は、外部ネットワーク２００に繋がり、加入者情報管理サーバ１２０及び課金管理サーバ１３０とのインターフェースを持つ既存のゲートウェイサーバ１４０を備えている。
【００２６】
無線制御サーバ１１０は、各通信端末１０との無線通信の制御や、各通信端末１０に対する共有キャリアにおける帯域の割り当てを行うサーバであり、後述する、加入者認証部１１１、共有チャネルリソース情報判断部１１２、共有チャネルリソース割当制御部１１３及び回線使用料課金要求部１１４を備えている。
【００２７】
加入者認証部１１１は、既存のブロックを改造したブロックであり、アクセスしてきた通信端末１０が自キャリアの加入者であるか判断すると共に、通信端末１０から受信した端末情報が複数の端末情報であるか否かを判定する。
【００２８】
共有チャネルリソース情報判断部１１２は、既存のブロックを改造したブロックであり、親端末１０ａが従える子端末１０ｂの台数に基づき、親端末１０ａに与える共有チャネルにおける帯域の規準となる、親端末１０ａに対する共有チャネルの占有率を決定する。
【００２９】
共有チャネルリソース割当制御部１１３は、既存のブロックを改造したブロックであり、各通信端末１０に与える共有チャネルにおける帯域の制御を行う。また、共有チャネルリソース割当制御部１１３は、複数の子端末１０ｂを従える親端末１０ａからのアクセスである場合には、共有チャネルリソース情報判断部１１２により決定した共有チャネルの占有率に基づき、親端末１０ａに対して共有チャネルにおける帯域を優先的に割り当てる。
回線使用料課金要求部１１４は、既存のブロックを改造したブロックであり、各通信端末１０に対する回線使用料の課金処理を、課金管理サーバ１３０に要求する。
【００３０】
つぎに、本実施形態に係る無線通信システムにおける処理手順について、図３〜図１２を用いて説明する。なお、以下の説明においては、同一のコンテンツを要求する３台の通信端末１０を例に挙げて説明する。また、この３台の通信端末１０は、同一のセル内であり、各通信端末１０同士が近距離無線通信の圏内に存在する場合を想定する。
【００３１】
まず、３台の通信端末１０のうち、一の親端末１０ａを決定する処理について、図３及び図４を用いて説明する。なお、以下の説明においては、３台の通信端末１０とも同じ処理動作であるため、３台の通信端末１０を区別することなく説明する。
【００３２】
ユーザは、通信端末１０の入力部１を操作して、図示しない表示部に表示された所望のコンテンツを選択し（ステップＳ１）、入力部１は、選択情報をアプリケーション部７に出力する（ステップＳ２）。
【００３３】
アプリケーション部７は、入力部１から入力される選択情報に基づき、代表端末ダウンロードサービスを起動する（ステップＳ３）。
アプリケーション部７は、他の通信端末１０とのリンクを確立する要求（以下、端末間リンク確立要求と称す）を、近距離通信部２に出力し（ステップＳ４）、他の通信端末１０からの端末間リンク確立要求に対する合意（レスポンス）を待つ。
【００３４】
近距離通信部２は、アプリケーション部７から入力される端末間リンク確立要求を受けて、他の通信端末１０に対して端末間リンク確立要求を送信する（ステップＳ５）。また、近距離通信部２は、他の通信端末１０からのレスポンスを受けて（ステップＳ６）、他の通信端末１０とのリンクを確立し（ステップＳ７）、他の通信端末１０とのリンクが確立したことをアプリケーション部７に通知する（ステップＳ８）。
アプリケーション部７は、近距離通信部２からの通知に基づき、無線品質状況管理部４から無線品質情報を読み出す（ステップＳ９）。
【００３５】
また、アプリケーション部７は、他の通信端末１０との無線品質情報の交換要求（自端末の無線品質情報）を近距離通信部２に出力し（ステップＳ１０）、他の通信端末１０からのレスポンス（他端末の無線品質情報）を待つ。
【００３６】
近距離通信部２は、アプリケーション部７から入力される無線品質情報の交換要求（自端末の無線品質情報）を受けて、他の通信端末１０に対して無線品質情報の交換要求（自端末の無線品質情報）を送信する（ステップＳ１１）。また、近距離通信部２は、他の通信端末１０からのレスポンス（他端末の無線品質情報）を受けて（ステップＳ１２）、他の通信端末１０との無線品質情報の交換を行い、他の通信端末１０の無線品質情報をアプリケーション部７に出力する（ステップＳ１３）。
【００３７】
アプリケーション部７は、近距離通信部２から他の通信端末１０の無線品質情報が入力されると、無線品質状況管理部４から取得した自端末の無線品質情報と、他の通信端末１０から受信した他端末の無線品質情報とを比較して、自端末の無線品質が最良であるか否かを判断する（ステップＳ１４）。
【００３８】
ステップＳ１４において、自端末の無線品質が最良であると判断した場合に、アプリケーション部７は、自端末を親端末１０ａに決定し、自端末を親端末１０ａに遷移する（ステップＳ１５）。
【００３９】
また、ステップＳ１４において、自端末の無線品質が最良でないと判断した場合に、アプリケーション部７は、自端末を子端末１０ｂに決定し、自端末を子端末１０ｂに遷移する（ステップＳ１６）。
【００４０】
以上の処理により、複数の通信端末１０のうち、一の親端末１０ａを決定することができる。
つぎに、親端末１０ａが、通信端末群を代表して２台の子端末１０ｂの代わりに、コンテンツを要求する処理について、図５及び図６を用いて説明する。なお、以下の説明においては、親端末１０ａにおける各ブロックの符号の末尾に「ａ」を付加し、子端末１０ｂにおける各ブロックの符号の末尾に「ｂ」を付加して説明する。また、以下の説明においては、２台の子端末１０ｂとも同じ処理動作であるため、２台の子端末１０ｂを区別することなく説明する。
【００４１】
通信端末１０は、親端末１０ａに遷移すると、親端末１０ａのアプリケーション部７ａは、端末情報格納部５ａから自端末（親端末１０ａ）の端末情報を読出し、自端末（親端末１０ａ）の端末情報を保持する（ステップＳ１０１）。
【００４２】
また、親端末１０ａのアプリケーション部７ａは、子端末１０ｂからの子端末１０ｂの端末情報の読出し要求（以下、端末情報取得要求と称す）を、近距離通信部２ａに出力し（ステップＳ１０２）、子端末１０ｂからのレスポンス（端末情報）を待つ。
【００４３】
親端末１０ａの近距離通信部２ａは、アプリケーション部７ａから入力される端末情報取得要求を受けると、子端末１０ｂの端末情報を得るために、子端末１０ｂに端末情報取得要求を送信する（ステップＳ１０３）。
【００４４】
子端末１０ｂの近距離通信部２ｂは、親端末１０ａからの端末情報取得要求を受信すると（ステップＳ１０４）、アプリケーション部７ｂに端末情報取得要求を出力する（ステップＳ１０５）。
【００４５】
子端末１０ｂのアプリケーション部７ｂは、近距離通信部２ｂから入力される端末情報取得要求を受け、端末情報格納部５ｂから自端末（子端末１０ｂ）の端末情報を読み出す（ステップＳ１０６）。
【００４６】
そして、子端末１０ｂのアプリケーション部７ｂは、端末情報格納部５ｂから読み出した自端末（子端末１０ｂ）の端末情報を、近距離通信部２ｂに出力する（ステップＳ１０７）。
【００４７】
子端末１０ｂの近距離通信部２ｂは、アプリケーション部７ｂから入力された自端末（子端末１０ｂ）の端末情報を、親端末１０ａの近距離通信部２ａに送信する（ステップＳ１０８）。
【００４８】
親端末１０ａの近距離通信部２ａは、子端末１０ｂからの子端末１０ｂの端末情報を受信すると（ステップＳ１０９）、アプリケーション部７ａに子端末１０ｂの端末情報を出力する（ステップＳ１１０）。
【００４９】
親端末１０ａのアプリケーション部７ａは、全ての子端末１０ｂからの子端末１０ｂの端末情報を取得すると、遠距離無線通信部３ａに対して、無線制御サーバ１１０とのリンクを確立する要求（以下、携帯無線リンク確立要求と称す）を出力する（ステップＳ１１１）。なお、この携帯無線リンク確立要求には、グルーピングされた通信端末群における親端末１０ａ及び子端末１０ｂの端末情報を付加している。
親端末１０ａの遠距離無線通信部３ａは、アプリケーション部７ａから入力される携帯無線リンク確立要求を、無線制御サーバ１１０に送信する（ステップＳ１１２）。
【００５０】
以上の処理により、親端末１０ａが、通信端末群を代表して２台の子端末１０ｂの代わりに、コンテンツを要求することができる。
つぎに、キャリアコアネットワーク１００及び外部ネットワーク２００のネットワーク側の処理について、図７〜図１０を用いて説明する。
【００５１】
無線制御サーバ１１０は、通信端末１０からの携帯無線リンク確立要求（端末情報含む）を受信すると（ステップＳ２０１）、加入者認証部１１１は、携帯無線リンク確立要求に含まれる端末情報に基づき、子端末１０ｂを従えた通信端末１０（親端末１０ａ）からのアクセスであるか否かを判断する（ステップＳ２０２）。すなわち、加入者認証部１１１は、通信端末１０から受信した端末情報が複数の端末情報であるか否かを判定する。
【００５２】
ステップＳ２０２において、子端末１０ｂを従えた親端末１０ａからのアクセスであると判断した場合に、加入者認証部１１１は、親端末１０ａ及び子端末１０ｂの端末情報を付加した携帯無線リンク確立要求を、ゲートウェイサーバ１４０に送信する（ステップＳ２０３ａ）。
【００５３】
ゲートウェイサーバ１４０は、無線制御サーバ１１０から携帯無線リンク確立要求を受信すると（ステップＳ２０４ａ）、親端末１０ａ及び子端末１０ｂが自キャリアの加入者であるかの認証依頼（以下、端末加入者認証依頼と称す）を、加入者情報管理サーバ１２０に送信する（ステップＳ２０５ａ）。
【００５４】
加入者情報管理サーバ１２０は、ゲートウェイサーバ１４０から端末加入者認証依頼を受信すると（ステップＳ２０６ａ）、管理する加入者情報と親端末１０ａ及び子端末１０ｂの端末情報とを比較して、親端末１０ａ及び子端末１０ｂに対して、自キャリアの加入者であるかの認証を行う（ステップＳ２０７ａ）。
【００５５】
そして、加入者情報管理サーバ１２０は、端末加入者認証依頼に対する親端末１０ａ及び子端末１０ｂの認証結果を、ゲートウェイサーバ１４０を介して、無線制御サーバ１１０に送信する（ステップＳ２０８ａ）。
【００５６】
無線制御サーバ１１０の加入者認証部１１１は、ゲートウェイサーバ１４０から送信された認証結果を受信すると（ステップＳ２０９ａ）、当該認証結果に基づき、親端末１０ａ及び子端末１０ｂの全てが自キャリアの加入者であるか否かを判断する（ステップＳ２１０ａ）。
【００５７】
ステップＳ２１０ａにおいて、親端末１０ａ及び子端末１０ｂに自キャリアの加入者でない通信端末１０を含むと判断した場合に、加入者認証部１１１は、自キャリアの加入者でない通信端末１０を含む旨のエラー通知を親端末１０ａに送信する（ステップＳ２１１ａ）。
【００５８】
また、ステップＳ２１０ａにおいて、全て加入者であると判断した場合に、加入者認証部１１１は、親端末１０ａに従える子端末１０ｂの台数の情報を付加した、親端末１０ａに対する共有チャネルにおける帯域の割り当て依頼を、共有チャネルリソース情報判断部１１２に出力する（ステップＳ２１２ａ）。
【００５９】
共有チャネルリソース情報判断部１１２は、加入者認証部１１１から入力された子端末１０ｂの台数情報に基づき、親端末１０ａに対する共有チャネルの占有率を決定する（ステップＳ２１３ａ）。また、共有チャネルリソース情報判断部１１２は、決定した共有チャネルの占有率の情報を共有チャネルリソース割当制御部１１３に出力する（ステップＳ２１４ａ）。なお、共有チャネルの占有率は、子端末１０ｂを従えない通信端末１０に対する共有チャネルの占有率に対して、例えば、親端末１０ａに従える子端末１０ｂの台数に比例して、親端末１０ａに対する共有チャネルの占有率を整数倍することが考えられる。
【００６０】
共有チャネルリソース割当制御部１１３は、共有チャネルリソース情報判断部１１２から入力された共有チャネルの占有率情報に基づき、親端末１０ａに対して共有チャネルにおける帯域を割り当て（ステップＳ２１５ａ）、親端末１０ａと無線制御サーバ１１０との携帯無線リンクを確立する（ステップ２１６ａ）。
【００６１】
そして、無線制御サーバ１１０は、既存の動作である、ゲートウェイサーバ１４０を介して、通信端末１０が要求するコンテンツを保存するアプリケーションサーバ２１０に、当該コンテンツのコンテンツデータの送信を依頼する（ステップＳ２１７ａ）。
【００６２】
アプリケーションサーバ２１０は、通信端末１０からの要求に応じて、ゲートウェイサーバ１４０及び無線制御サーバ１１０を介して、親端末１０ａに対して所望のコンテンツデータのダウンロードを開始する（ステップＳ２１８ａ）。この場合に、コンテンツデータは、無線制御サーバ１１０の共有チャネルリソース割当制御部１１３で割り当てられた、親端末１０ａに対する共有チャネルにおける帯域に従って、親端末１０ａに送信される（ステップＳ２１９ａ）。
【００６３】
また、無線制御サーバ１１０の回線使用料課金要求部１１４は、既存の動作である、ゲートウェイサーバ１４０を介して、親端末１０ａ及び子端末１０ｂのそれぞれに対する回線使用料の課金処理を、課金管理サーバ１３０に要求する（Ｓ２２０ａ）。
【００６４】
課金管理サーバ１３０は、無線制御サーバ１１０の回線使用料課金要求部１１４からの課金処理の要求に応じて、親端末１０ａ及び子端末１０ｂの各通信端末１０に対して、回線使用料の課金処理を行う（ステップＳ２２１ａ）。この場合に、各子端末１０ｂに対する回線使用料の課金は、例えば、親端末１０ａに対する回線使用料の課金と同額として、親端末１０ａ及び子端末１０ｂに対して一律に課金することが考えられる。なお、回線使用料の課金は、親端末１０ａに従える子端末１０ｂの台数が多いほど、親端末１０ａ及び子端末１０ｂに対する課金係数を下げるような団体割引等を適用することも考えられる。
【００６５】
そして、アプリケーションサーバ２１０は、親端末１０ａに対して、親端末１０ａから要求されたコンテンツにおけるコンテンツデータの全ての送信が終わると、コンテンツデータのダウンロードを終了する（ステップＳ２２２ａ）。
【００６６】
また、課金管理サーバ１３０は、親端末１０ａ及び子端末１０ｂの各通信端末１０に対して、コンテンツ使用料の課金処理を行う（ステップＳ２２３ａ）。この場合に、各子端末１０ｂに対するコンテンツ使用料の課金は、例えば、親端末１０ａに対するコンテンツ使用料の課金と同額として、親端末１０ａ及び子端末１０ｂに対して一律に課金することが考えられる。なお、コンテンツ使用料の課金は、親端末１０ａに従える子端末１０ｂの台数が多いほど、親端末１０ａ及び子端末１０ｂに対する課金係数を下げるような団体割引等を適用することも考えられる。
【００６７】
そして、無線制御サーバ１１０は、コンテンツデータのダウンロード、回線使用料の課金及びコンテンツ使用料の課金が終了すると、親端末１０ａとの携帯無線リンクを解除しする（ステップＳ２２４ａ）。
【００６８】
なお、前述したステップＳ２０２において、親端末１０ａからのアクセスでないと判断した場合には、図７〜図９に示すように、ステップＳ２０３ａ〜ステップＳ２２４ａに相当する、ステップＳ２０３ｂ〜ステップＳ２２４ｂの処理となり、詳細な説明は省略する。なお、ステップＳ２０３ｂ〜ステップＳ２２４ｂでは、加入者認証、共有チャネルにおける帯域の割り当て、並びに回線使用料及びコンテンツ使用料の課金の対象である親端末１０ａ及び子端末１０ｂを、子端末１０ｂを従えない１台の通信端末１０を対象とすることになる。
【００６９】
つぎに、親端末１０ａが、通信端末群を代表して２台の子端末１０ｂの代わりにコンテンツデータを取得し、子端末１０ｂにコンテンツデータを配信するまでの処理について、図１１及び図１２を用いて説明する。
【００７０】
前述したステップＳ２１６ａにおいてネットワークとの携帯無線リンクが確立し、ステップ２１８ａにおいてダウンロードが開始され、親端末１０ａの遠距離無線通信部３ａは、ステップＳ２１９ａにおいて無線制御サーバ１１０から送信されたコンテンツデータを受信する（ステップＳ３０１）。そして、親端末１０ａの遠距離無線通信部３ａは、受信したコンテンツデータをアプリケーション部７ａに出力する（ステップＳ３０２）。
【００７１】
親端末１０ａのアプリケーション部７ａは、遠距離無線通信部３ａから入力されたコンテンツデータをデータ格納部６ａに格納する（ステップ３０３）。
そして、親端末１０ａのアプリケーション部７ａは、無線制御サーバ１１０から送信されるコンテンツデータのダウンロードが終了すると（ステップＳ３０４、Ｓ２２１ａ）、データ格納部６ａに格納したコンテンツデータを読み出す（ステップＳ３０５）。
【００７２】
また、親端末１０ａのアプリケーション部７ａは、データ格納部６ａから読み出したコンテンツデータと共に、子端末１０ｂに対するコンテンツの配信要求を近距離通信部２ａに通知する（ステップＳ３０６）。
【００７３】
親端末１０ａの近距離通信部２ａは、アプリケーション部７ａからの配信要求に基づき、アプリケーション部７ａから入力されたコンテンツデータを、子端末１０ｂの近距離通信部２ｂに送信する（ステップＳ３０７）。
【００７４】
子端末１０ｂの近距離通信部２ｂは、親端末１０ａからコンテンツデータを受信すると（ステップＳ３０８）、アプリケーション部７ｂにコンテンツデータを出力する（ステップＳ３０９）。
【００７５】
子端末１０ｂのアプリケーション部７ｂは、近距離通信部２ｂから入力されたコンテンツデータをデータ格納部６ｂに格納する（ステップＳ３１０）。
子端末１０ｂは、全てのコンテンツデータをデータ格納部６ｂに格納すると、代表端末ダウンロードサービスを終了する（ステップＳ３１１）。
【００７６】
また、親端末１０ａは、全ての子端末１０ｂに対してコンテンツデータの送信を完了すると、代表端末ダウンロードサービスを終了し（ステップＳ３１２）、無線制御サーバ１１０との携帯無線リンクを解除する（ステップＳ３１３、ステップＳ２２４ａ）。
【００７７】
以上のように、本実施形態に係る無線通信システムは、子端末１０ｂを従えない通信端末１０と比較して、親端末１０ａが従える子端末１０ｂの台数に応じて、親端末１０ａに対する共有チャネルの占有率を上げることで、コンテンツデータのダウンロードを快適に行うことできる。これにより、本実施形態に係る無線通信システムは、従える子端末１０ｂによる共有チャネルの占有率の軽減に見合う見返りを、親端末１０ａに持たせることができるという作用効果を奏する。
【００７８】
また、本実施形態に係る無線通信システムは、回線使用料及びコンテンツ使用料に関する課金を、親端末１０ａのみならず、親端末１０ａが従える子端末１０ｂに対しても、行うことができるという作用効果を奏する。
【００７９】
また、本実施形態に係る無線通信システムは、HSDPA、HSUPA又はS3G等の無線共有チャネルを使用するベストエフォート型サービスにおいて、複数のユーザが、論理的に無線帯域を共有することにより、無線帯域の有効活用が可能となるという作用効果を奏する。
【００８０】
なお、本実施形態に係る無線通信システムにおいては、近距離通信部２として、近距離無線通信に対応させた場合について説明したが、有線通信に対応させた場合についても同様に、親端末１０ａと子端末１０ｂとでグルーピングを行い、前述した処理を行うことになる。
【００８１】
また、本実施形態に係る無線通信システムにおいては、グルーピングの際に、複数の通信端末１０のうち、各通信端末１０の無線品質に応じて一の親端末１０ａを決定しているが、この決定方式に限られるものではない。例えば、同一のコンテンツを要求する複数の通信端末１０のうち、最も早くコンテンツを選択した通信端末１０や回線使用料の最も安いキャリアに加入している通信端末１０や処理速度が最も優れている通信端末１０等を、親端末１０ａにすることが考えられる。
【００８２】
また、本実施形態に係る無線通信システムにおいては、通信端末群のうち親端末１０ａが代表してコンテンツをダウンロードする場合について説明したが、親端末１０ａが代表してデータをアプリケーションサーバ２１０にウップロードしてもよい。
【００８３】
さらに、本実施形態に係る無線通信システムにおいては、自キャリアに加入する同一のコンテンツを要求する通信端末１０が集えば、グルーピングして所望のコンテンツをダウンロードできるのであるが、所定のグループに対してのみダウンロードを可能にしてもよい。
【００８４】
具体的には、キャリアとの契約で予め定めた複数の通信端末１０からなるグループの情報（例えば、家族割引等）を、加入者情報管理サーバ１２０に登録しておき、前述したステップＳ２０８ａにおいて、認証結果と共にグループ情報を読み出して送信する。そして、前述したステップＳ２１０ａにおいて、親端末１０ａ及び子端末１０ｂの全てが自キャリアの加入者であるか否かを判断すると共に、親端末１０ａ及び子端末１０ｂの全てが共通のグループに所属しているか否かを判断する。そして、共通のグループに所属していない場合には、前述したステップＳ２１１ａに進み、加入者認証部１１１は、共通のグループに所属していない旨のエラー通知を親端末１０ａに送信する。
【００８５】
また、本実施形態に係る無線通信システムにおいては、共有チャネルリソース情報判断部１１２が、親端末１０ａが従える子端末１０ｂの台数に応じて、親端末１０ａに対する共有チャネルの占有率を決定しているが、キャリアとの契約形態に応じて決定してもよい。
【００８６】
具体的には、キャリアとの契約で予め定めた各通信端末１０の契約形態（例えば、契約プラン、定額／従量制等）の情報を、加入者情報管理サーバ１２０に登録しておき、前述したステップＳ２０８ａにおいて、認証結果と共に各通信端末１０の契約形態情報を読み出して送信する。そして、前述したステップＳ２１３ａにおいて、加入者情報管理サーバ１２０から読み出した親端末１０ａ及び子端末１０ｂの契約形態情報に基づき、親端末１０ａに対する共有チャネルの占有率を決定する。これにより、本実施形態に係る無線通信システムにおいては、キャリアコアネットワーク１００側が親端末１０ａに割り当てる共有チャネルの占有率を、親端末１０ａ及び子端末１０ｂの全ての通信端末１０における契約形態によって決めることできるという作用効果を奏する。
【００８７】
また、本実施形態に係る無線通信システムにおいては、コンテンツデータのダウンロードの処理中であっても、親端末１０ａに従える子端末１０ｂの新規加入又は脱退に対応して、共有チャネルの占有率の変更や、新規加入又は脱退した子端末１０ｂへの課金の徴収又は停止を行ってもよい。
【００８８】
具体的には、親端末１０ａのアプリケーション部７ａは、コンテンツデータのダウンロード中であっても、近距離通信部２ａを介して、子端末１０ｂの新規加入及び脱退を監視する。そして、子端末１０ｂの新規加入又は脱退を契機として、親端末１０ａのアプリケーション部７ａは、遠距離無線通信部３ａを介して、子端末１０ｂの新規加入又は脱退を無線制御サーバ１１０に通知する。
【００８９】
そして、無線制御サーバ１１０の加入者認証部１１１は、新規加入又は脱退した子端末１０ｂの加入者認証を行うために、ゲートウェイサーバ１４０を介して、変更のあった子端末１０ｂの端末情報を加入者情報管理サーバ１２０に通知する。また、課金管理サーバ１３０は、新規加入した子端末１０ｂに対して回線使用料の課金を行い、脱退した子端末１０ｂに対して回線使用料の課金を停止する。また、無線制御サーバ１１０の共有チャネルリソース情報判断部１１２は、加入者である変更後の子端末１０ｂの台数に応じて、親端末１０ａに対する共有チャネルの占有率の変更を行い、共有チャネルリソース割当制御部１１３に対して、共有チャネルにおける帯域の変更要求を行う。これにより、本実施形態に係る無線通信システムは、コンテンツデータのダウンロード処理中であっても、親端末１０ａの従える子端末１０ｂの増減に対して、親端末１０ａに対する共有チャネルにおける帯域や、親端末１０ａ及び子端末１０ｂに対する課金処理の変更を行うことができるという作用効果を奏する。
【００９０】
また、本実施形態に係る無線通信システムにおいては、親端末１０ａによる子端末１０ｂの端末情報の偽造を防止するために、無線制御サーバ１１０から子端末１０ｂに対して個別認証を行ってもよい。
【００９１】
具体的には、前述したステップＳ２１０ａにおいて、親端末１０ａ及び子端末１０ｂの全てが自キャリアの加入者であると判断した場合に、前述したステップＳ２１２ａに進む前に、図１３に示す以下の処理を行うことになる。
【００９２】
無線制御サーバ１１０の加入者認証部１１１は、自キャリアの加入者であると判断した各子端末１０ｂに対して、携帯無線通信により、個別に加入者認証の確認要求（以下、個別認証確認要求と称す）を送信する（ステップＳ４０１）。
【００９３】
子端末１０ｂの遠距離無線通信部３ｂは、無線制御サーバ１１０からの個別認証確認要求を受信すると、アプリケーション部７ｂに個別認証確認要求を通知する（ステップＳ４０２）。子端末１０ｂのアプリケーション部７ｂは、自端末が、親端末１０ａの配下である通信端末群に所属し、同一のダウンロードデータを利用する通信端末１０であれば、個別認証確認要求に対する承認を遠距離無線通信部３ｂに出力する（ステップＳ４０３）。子端末１０ｂの遠距離無線通信部３ｂは、個別認証確認要求に対する承認を無線制御サーバ１１０に送信する（ステップＳ４０４）。
【００９４】
無線制御サーバ１１０の加入者認証部１１１は、自キャリアの加入者であると判断した全ての子端末１０ｂから、個別認証確認要求に対する承認を受信すると、前述したステップＳ２１２ａに進む。なお、無線制御サーバ１１０の加入者認証部１１１は、自キャリアの加入者であると判断した全ての子端末１０ｂから、個別認証確認要求に対する承認を受信できない場合に、前述したステップＳ２１１ａに進む。そして、加入者認証部１１１は、子端末１０ｂを認証できない旨のエラー通知を親端末１０ａに送信する。これにより、親端末１０ａがキャリアコアネットワーク１００側に子端末１０ｂの端末情報（台数）を不正に送信していないかを確認することができ、実際に従える子端末１０ｂの台数よりも多く認証させ、共有チャネルの占有率を上げるという悪用を防止することができるという作用効果を奏する。
【００９５】
また、本実施形態に係る無線通信システムにおいては、同一のセル内であり、各通信端末１０同士が近距離無線通信の圏内に存在する場合を想定して説明したが、近距離無線通信の圏外に存在する通信端末１０に対しても、本発明を適用することができる。
具体的には、近距離無線通信の圏外に存在する通信端末１０に対して、前述したステップＳ１０３〜ステップＳ１０９の代わりに、図１４に示す以下の処理を行うことになる。
【００９６】
親端末１０ａのアプリケーション部７ａは、近距離無線通信圏外の通信端末１０に対して、同一のコンテンツデータを使用しないかを、携帯無線通信により、親端末１０ａの遠距離無線通信部３ａ及び子端末１０ｂの遠距離無線通信部３ｂを介して問い合わせる（ステップＳ５０１）。
【００９７】
親端末１０ａから問い合わせを受けた通信端末１０は、親端末１０ａからの要求を了承するのであれば、子端末１０ｂに遷移し、端末情報格納部５ｂから自端末（子端末１０ｂ）の端末情報を読み出す（ステップＳ５０２）。
【００９８】
子端末１０ｂのアプリケーション部７ｂは、携帯無線通信により、子端末１０ｂの遠距離無線通信部３ｂ及び親端末１０ａの遠距離無線通信部３ａを介して、親端末１０ａのアプリケーション部７ａに自端末（子端末１０ｂ）の端末情報を通知する（ステップＳ５０３）。
【００９９】
そして、前述したステップＳ１１０〜ステップＳ１１２、ステップＳ２０１〜ステップＳ２２４、ステップＳ３０１〜ステップＳ３０４の処理を行う。そして、近距離無線通信圏外に存在した通信端末１０であって、親端末１０ａからの要求を了承した子端末１０ｂが、近距離無線通信圏内に入った場合に、前述したステップＳ３０５〜ステップＳ３１３の処理を行う（ステップＳ５０４）。
【０１００】
（本発明の第２の実施形態）
図１５は子端末の端末情報の暗号化を行う場合のブロック図である。図１５において、図１〜図１４と同じ符号は、同一又は相当部分を示し、その説明を省略する。
端末側暗号部８は、通信端末１０に備えられ、他の通信端末１０（親端末１０ａ）に対して、自端末（子端末１０ｂ）の端末情報を送信の際に、キャリアコアネットワーク１００側と各通信端末１０（子端末１０ｂ）との間で定めたルールに基づき、自端末（子端末１０ｂ）の端末情報を暗号化するブロックである。
【０１０１】
サーバ側復号部１１５は、無線制御サーバ１１０に備えられ、キャリアコアネットワーク１００側と各通信端末１０（子端末１０ｂ）との間で定めたルールに基づき、子端末１０ｂにより暗号化された子端末１０ｂの端末情報を復号化するブロックである。
【０１０２】
この第２の実施形態においては、前述した第１の実施形態における、ステップＳ１０６とステップＳ１０７との間に、図１５に示す以下の処理を行うことになる。
子端末１０ｂのアプリケーション部７ｂは、ステップＳ１０６において、端末情報格納部５ｂから読み出した自端末（子端末１０ｂ）の端末情報を端末側暗号部８ｂに通知する（ステップＳ６０１）。そして、子端末１０ｂの端末側暗号部８ｂは、予め、キャリアコアネットワーク１００側と各通信端末１０（子端末１０ｂ）との間で定めたルールに基づき、自端末（子端末１０ｂ）の端末情報を暗号化する。そして、ステップＳ１０７に進む。
また、第２の実施形態においては、前述した第１の実施形態における、ステップＳ２０１とステップＳ２０２との間に、図１５に示す以下の処理を行うことになる。
【０１０３】
無線制御サーバ１１０の加入者認証部１１１は、ステップＳ２０１において、親端末１０ａから受信した親端末１０ａの端末情報及び子端末１０ｂの端末情報のうち、子端末１０ｂの端末情報をサーバ側復号部１１５に通知する（ステップＳ６０２）。そして、無線制御サーバ１１０のサーバ側復号部１１５は、予め、キャリアコアネットワーク１００側と各通信端末１０（子端末１０ｂ）との間で定めたルールに基づき、子端末１０ｂの端末情報を復号化する。そして、ステップＳ２０２に進む。
【０１０４】
なお、この第２の実施形態に係る無線通信システムにおいては、通信端末１０に端末側暗号部８を備え、無線制御サーバ１１０にサーバ側復号部１１５を備えているところのみが第１の実施形態と異なるところである。この違いによる作用効果以外は、第１の実施形態と同様の作用効果を奏する。
【０１０５】
第２の実施形態においては、キャリアコアネットワーク１００側と各通信端末１０（子端末１０ｂ）との間で定めたルールに基づき、子端末１０ｂの端末情報を暗号化しているために、親端末１０ａでは復号できず、子端末１０ｂの端末情報の内容を親端末１０ａに取得されることない。これにより、第２の実施形態においては、子端末１０ｂのユーザの個人情報を保護することができるという作用効果を奏する。
【０１０６】
（本発明の第３の実施形態）
図１６は携帯無線通信の経路保護を行う場合のブロック図である。図１６において、図１〜図１５と同じ符号は、同一又は相当部分を示し、その説明を省略する。
端末側通信経路保障部９は、通信端末１０に備えられ、無線制御サーバ１１０との携帯無線通信の際に、経路暗号化技術を用いて、データの改竄防止や秘匿を行うための暗号処理を行うブロックである。
【０１０７】
サーバ側通信経路保障部１１６は、無線制御サーバ１１０に備えられ、通信端末１０（親端末１０ａ）との携帯無線通信の際に、経路暗号化技術を用いて、データの改竄防止や秘匿を行うための暗号処理を行うブロックである。
この第３の実施形態においては、前述した第１の実施形態における、ステップＳ１１１とステップＳ１１２との間に、図１６に示す以下の処理を行うことになる。
【０１０８】
ステップＳ１１１の後に、親端末１０ａの遠距離無線通信部３ａは、端末側通信経路保障部９ａに対して、キャリアコアネットワーク１００側との通信経路の保障を依頼する（ステップＳ７０１）。そして、親端末１０ａの端末側通信経路保障部９ａは、無線制御サーバ１１０のサーバ側通信経路保障部１１６とのネゴシエーションを行い、経路暗号化技術を用いて、通信経路の保障を行う（ステップＳ７０２）。そして、ステップＳ１２に進む。
【０１０９】
なお、この第３の実施形態に係る無線通信システムにおいては、通信端末１０に端末側通信経路保障部９ａを備え、無線制御サーバ１１０にサーバ側通信経路保障部１１６を備えているところのみが第１の実施形態又は第２の実施形態と異なるところである。この違いによる作用効果以外は、第１の実施形態又は第２の実施形態と同様の作用効果を奏する。
【０１１０】
第２の実施形態においては、親端末１０ａと無線制御サーバ１１０との携帯無線通信の際に、経路暗号化技術を用いて、親端末１０ａ及び子端末１０ｂの端末情報を無線制御サーバ１１０に送信するために、通信経路の秘匿を保障することができるという作用効果を奏する。
【０１１１】
（本発明の第４の実施形態）
図１７は携帯無線通信の経路保護を行う場合のブロック図である。図１７において、図１〜図１６と同じ符号は、同一又は相当部分を示し、その説明を省略する。
端末側復号部１１は、通信端末１０に備えられ、アプリケーションサーバ２１０からダウンロードする暗号化されたコンテンツデータを、各通信端末１０の固有情報（例えば、端末情報）を復号化キーとして復号化するブロックである。
【０１１２】
フィルタリング部１１７は、無線制御サーバ１１０に備えられ、通信端末１０の端末情報を外部ネットワーク２００に送信する際に、フィルタリングを行うブロックである。
【０１１３】
通信部２１１は、アプリケーションサーバ２１０に備えられ、外部との通信を行うブロックである。
【０１１４】
サーバ側暗号部２１２は、アプリケーションサーバ２１０に備えられ、各通信端末１０の固有情報（例えば、端末情報）を暗号化キーとして、コンテンツデータを暗号化するブロックである。
この第４の実施形態においては、前述した第１の実施形態における、ステップＳ２１７ａ〜ステップＳ２１９ａにおいて、図１７に示す以下の処理を行うことになる。
【０１１５】
ステップＳ２１６ａにおいて携帯無線リンクが確立すると、親端末１０ａは、無線制御サーバ１１０のフィルタリング部１１７及びゲートウェイサーバ１４０を介して、アプリケーションサーバ２１０の通信部２１１に親端末１０ａ及び子端末１０ｂの端末情報を通知する（ステップＳ８０１）。
【０１１６】
アプリケーションサーバ２１０の通信部２１１は、親端末１０ａ及び子端末１０ｂの端末情報をサーバ側暗号部２１２に出力する（ステップＳ８０２）。また、アプリケーションサーバ２１０のサーバ側暗号部２１２は、通信部２１１から入力された各通信端末１０の端末情報を基に認証キーをそれぞれ作成すると共に、親端末１０ａに送信するコンテンツデータを暗号化する。なお、暗号化したコンテンツデータは、各通信端末１０の端末情報のみで解除できるようなものとする。
【０１１７】
そして、アプリケーションサーバ２１０のサーバ側暗号部２１２は、暗号化したコンテンツデータを通信部２１１に出力する（ステップＳ８０３）。また、アプリケーションサーバ２１０の通信部２１１は、サーバ側暗号部２１２から入力された暗号化したコンテンツデータを、ゲートウェイサーバ１４０及び無線制御サーバ１１０のフィルタリング部１１７を介して、親端末１０ａに向けて送信する（ステップＳ８０４、ステップＳ２１９ａ）。そして、ステップＳ２２０ａに進む。
また、第４の実施形態においては、前述した第１の実施形態における、ステップＳ３１１及びステップＳ３１２において、図１７に示す以下の処理を行うことになる。
【０１１８】
親端末１０ａ及び子端末１０ｂの各通信端末１０は、暗号化されたコンテンツデータをそれぞれ解読するため、アプリケーション部７が、暗号化されたコンテンツデータの復号化を端末側復号部１１に依頼する（ステップＳ８０５）。また、端末側復号部１１は、暗号化されたコンテンツデータの復号化するため、端末情報格納部５に格納されている自端末の端末情報を読み出し（ステップＳ８０６）、読み出した自端末の端末情報に基づき、暗号化されたコンテンツデータを復号化する。
【０１１９】
なお、この第４の実施形態に係る無線通信システムにおいては、通信端末１０に端末側復号部１１を備え、アプリケーションサーバ２１０にサーバ側暗号部２１２を備えているところのみが第１の実施形態、第２の実施形態又は第３の実施形態と異なるところである。この違いによる作用効果以外は、第１の実施形態、第２の実施形態又は第３の実施形態と同様の作用効果を奏する。
【０１２０】
第４の実施形態においては、親端末１０ａが子端末１０ｂ以外の通信端末１０に対してコンテンツの配信を行っても、各通信端末１０の固有情報を認証キーとしたデジタル著作権管理（DRM：Digital Rights Management）により、不正な複製を防止し、コンテンツの著作権を保護することができる。
【０１２１】
（本発明の第５の実施形態）
図１８は回線使用料の課金割合を変更する場合のブロック図である。図１８において、図１〜図１７と同じ符号は、同一又は相当部分を示し、その説明を省略する。
課金変更部１３１は、課金管理サーバ１３０に備えられ、無線制御サーバ１１０からの回線使用料の課金割合に基づき、各通信端末１０に対する課金の額を変更するブロックである。
この第５の実施形態においては、前述した第１の実施形態における、ステップＳ１１０とステップＳ１１１との間に、図１８に示す以下の処理を行うことになる。
【０１２２】
端末間リンクを確立した親端末１０ａ及び子端末１０ｂは、各通信端末１０における回線使用料の課金割合を決定する（ステップＳ９０１）。
【０１２３】
親端末１０ａのアプリケーション部７ａは、決定した親端末１０ａ及び子端末１０ｂにおける回線使用料の課金割合を携帯無線リンク確立要求に付加する。そして、ステップＳ１１１に進む。
【０１２４】
また、第５の実施形態においては、前述した第１の実施形態における、ステップＳ２２０ａ及びステップＳ２２１ａにおいて、図１８に示す以下の処理を行うことになる。
また、無線制御サーバ１１０の回線使用料課金要求部１１４は、ゲートウェイサーバ１４０を介して、親端末１０ａ及び子端末１０ｂにおける回線使用料の課金割合に基づく、各通信端末１０に対する回線使用料の課金処理を、課金管理サーバ１３０に要求する（Ｓ２２０ａ、ステップＳ９０２）。
【０１２５】
課金管理サーバ１３０の課金変更部１３１は、無線制御サーバ１１０の回線使用料課金要求部１１４からの親端末１０ａ及び子端末１０ｂにおける回線使用料の課金割合に基づき、各通信端末１０に対して、回線使用料の課金処理を行う（ステップＳ２２１ａ、ステップＳ９０３）。
【０１２６】
なお、この第５の実施形態に係る無線通信システムにおいては、課金管理サーバ１３０に課金変更部１３１を備えているところのみが第１の実施形態、第２の実施形態、第３の実施形態又は第４の実施形態と異なるところである。この違いによる作用効果以外は、第１の実施形態、第２の実施形態、第３の実施形態又は第４の実施形態と同様の作用効果を奏する。
【０１２７】
第５の実施形態においては、端末間リンクを確立した通信端末群において、各通信端末１０における回線使用料の課金割合を変更することができる。これにより、契約形態が定額制であるユーザに対しても課金することができ、その分、従量制であるユーザに対する課金を軽減して、回線使用料の課金を通信端末群内で自由に調整することができる。
【実施例】
【０１２８】
以下、前述した第１の実施形態に係る実施例を図１９及び図２０を用いて説明する。
図１９は第１の実施形態に係る実施例を説明するためのシーケンス図である。また、図２０Ａは通信端末のディスプレイに表示される画面の一例を示す説明図、図２０Ｂは通信端末のディスプレイに表示される画面の他の例を示す説明図、図２０Ｃは携帯無線リンク確立要求のデータフォーマットの一例を示す説明図である。図１９及び図２０において、図１〜図１８と同じ符号は、同一又は相当部分を示し、その説明を省略する。
【０１２９】
なお、図１９に示す第１の通信端末１０、第２の通信端末１０及び第３の通信端末１０は、同一の映画コンテンツを要求する通信端末１０であり、同一のキャリアに加入しており、同一のセル内かつ各通信端末１０同士が近距離無線通信の圏内に存在する場合を想定する。また、第３の通信端末１０は、３台の通信端末１０の中で無線品質の状態が最も良い通信端末１０である。
【０１３０】
第１の通信端末１０は、アプリケーションサーバ２１０から映画コンテンツをダウンロードする際、本発明の機能である代表端末ダウンロードサービスを起動するために、第１の入力部１より代表端末ダウンロードサービスの起動操作を行う。これにより、第１のアプリケーション部７は、代表端末ダウンロードサービスの処理を開始する（ステップＳ１００１）。
【０１３１】
第１の通信端末１０は、第１のアプリケーション部７から第１の近距離通信部２に代表端末ダウンロードサービスの起動を通知すると、第１の近距離通信部２は、第１の通信端末１０の近距離無線圏内に確立されているチャンネルを検知する。そして、第１のアプリケーション部７は、第１の通信端末１０のディスプレイに、例えば、図２０Ａに示す画面を表示する。第１の通信端末１０は、複数の通信端末１０でその映画コンテンツをダウンロードするために、新たなチャンネルをつくり、そのチャンネルの仮親端末となる。
【０１３２】
なお、仮親端末は、同一のコンテンツを要求する他の通信端末１０の参加を募る制限時間として、無線通信システムにおいて制限時間を設定してもよいし、仮親端末のユーザが制限時間を独自に設定してもよく、無線通信システムの実装次第である。
【０１３３】
そして、第２の通信端末１０は、第２の入力部１より第２のアプリケーション部７を起動する（ステップＳ１００２）。第２のアプリケーション部７は、第２の近距離通信部２を通して、第２の通信端末１０から近距離無線圏内のチャンネル情報を受信し、第２の通信端末１０のディスプレイに、例えば、図２０Ｂに示す画面を表示する。第２の通信端末１０は、第１の通信端末１０と同一の映画コンテンツをダウンロードするために、第１の通信端末１０が立ち上げたチャンネルに参加する。
【０１３４】
また、第３の通信端末１０は、第２の通信端末１０と同様に、第３の入力部１より第３のアプリケーション部７を起動し（ステップＳ１００３）、そのチャンネルに参加する。この一連の操作により、３台の通信端末１０間で、端末間リンクを確立する（ステップＳ１００４）。
【０１３５】
各通信端末１０のアプリケーション部７は、自端末の無線品質状況管理部４に、携帯無線品質の状態の問い合わせを行う（ステップＳ１００５）。
また、各通信端末１０のアプリケーション部７は、３台の通信端末１０間で、一番無線品質の良い通信端末１０を知るために、自端末の無線品質情報と自端末以外の２台の通信端末１０との無線品質情報の情報交換を行う（ステップＳ１００６）。
【０１３６】
各通信端末１０のアプリケーション部７は、自端末の無線品質情報と自端末以外の２台の通信端末１０との無線品質情報を比較する。そして、第１の通信端末１０及び第２の通信端末１０は、第３の通信端末１０より無線品質が悪いために、子端末１０ｂに遷移する（ステップＳ１００７）。また、第３の通信端末１０は、３台の通信端末１０間で最も無線品質が良いと判断し、親端末１０ａに遷移する（ステップＳ１００８）。
【０１３７】
そして、第３の通信端末１０の第３のアプリケーション部７ａは、自端末の端末情報を第３の端末情報格納部５ａから読み出す。その後、第３の通信端末１０は、第１の通信端末１０及び第２の通信端末１０の端末情報を得るため、第１の通信端末１０及び第２の通信端末１０に対し、端末情報取得要求を送信する。端末情報取得要求を受信した、第１の通信端末１０及び第２の通信端末１０のアプリケーション部７は、それぞれの端末情報格納部５ｂから自端末の端末情報を読出し、第３の通信端末１０に通知する（ステップＳ１００９）。
【０１３８】
第３の通信端末１０の第３のアプリケーション部７ａは、第３の遠距離無線通信部３ａを通し、無線制御サーバ１１０及びゲートウェイサーバ１４０に対して、第１の通信端末１０、第２の通信端末１０及び第３の通信端末１０の全ての端末情報を付加した携帯無線リンク確立要求を送信する（ステップＳ１０１０）。
【０１３９】
なお、携帯無線リンク確立要求のデータフォーマットは、既存のメッセージを拡張してもよいし、例えば、図２０Ｃに示すように、通信端末１０とキャリアコアネットワーク１００との間で、新しいプロトコルを定義してもよい。
【０１４０】
無線制御サーバ１１０の加入者認証部１１１は、第１の通信端末１０、第２の通信端末１０及び第３の通信端末１０が自キャリアの加入者であるかを確認するために、加入者情報管理サーバ１２０に対して、第３の通信端末１０から通知された各通信端末１０の端末情報を送信し、加入者認証の処理を行う（ステップＳ１０１１）。
【０１４１】
無線制御サーバ１１０の加入者認証部１１１が、第１の通信端末１０、第２の通信端末１０及び第３の通信端末１０が全て自キャリアの加入者であることを確認すると、共有チャネルリソース情報判断部１１２は、通信端末１０の台数（ここでは３台）に応じた共有チャネルリソースを決定する。そして、共有チャネルリソース割当制御部１１３は、第３の通信端末１０に共有チャネルリソース情報判断部１１２にて決定した共有チャネルリソースを割り当て（ステップＳ１０１２）、第３の通信端末１０とキャリアコアネットワーク１００との間で携帯無線リンクを確立する。
【０１４２】
そして、第３の通信端末１０は、アプリケーションサーバ２１０から、映画コンテンツのダウンロードを開始する（ステップＳ１０１３）。そして、第３の通信端末１０は、第３のデータ格納部６ａに、映画コンテンツを格納していく。
【０１４３】
映画コンテンツのダウンロードと並行して、無線制御サーバ１１０と課金管理サーバ１３０との間で、第１の通信端末１０、第２の通信端末１０及び第３の通信端末１０における回線使用料の課金処理を行う（ステップＳ１０１４）。
【０１４４】
ダウンロード終了後（ステップＳ１０１５）、第３の通信端末１０の第３のアプリケーション部７ａは、第３の近距離通信部２ａを通し、第１の通信端末１０及び第２の通信端末１０に対し、アプリケーションサーバ２１０からダウンロードした映画コンテンツを配信する（ステップＳ１０１６）。映画コンテンツを配信された、第１の通信端末１０及び第２の通信端末１０のアプリケーション部７ｂは、自端末のデータ格納部６ｂに、映画コンテンツを格納していく。全ての映画コンテンツを第１の通信端末１０及び第２の通信端末１０に配信後、第３の通信端末１０の第３のアプリケーション部７ａは、代表端末ダウンロードサービスの処理を終了する。また、第１の通信端末１０及び第２の通信端末１０のアプリケーション部７ｂは、全ての映画コンテンツをデータ格納部６ｂに格納後、代表端末ダウンロードサービスの処理を終了する。
【０１４５】
ダウンロード終了後、無線制御サーバ１１０と課金管理サーバ１３０との間で、第１の通信端末１０、第２の通信端末１０及び第３の通信端末１０におけるコンテンツ使用料の課金処理を行う（ステップＳ１０１７）。
【０１４６】
［付記］  以上の実施例を含む実施形態に関し、更に以下の付記を開示する。
（付記１）  近距離通信で互いに連携可能であり、同一のデータを要求する複数の通信端末のうち、一の親端末を決定すると共に、当該親端末以外の通信端末を子端末として親端末がグルーピングする通信端末群と、前記データを提供するサーバから前記親端末へのデータのアクセスにあたり、当該親端末に対して共有チャネルにおける帯域を割り当てる無線制御サーバとを備える無線通信システムであって、前記親端末は、自端末の端末情報及び前記子端末から前記近距離通信で取得した子端末の端末情報を、前記無線制御サーバに送信すると共に、前記無線制御サーバからのデータを受信して、当該データを前記子端末に前記近距離通信で送信し、前記無線制御サーバは、前記親端末から送信された端末情報に基づき、当該親端末に対する共有チャネルにおける帯域を割り当て、前記データを前記親端末に送信することを特徴とする無線通信システム。
【０１４７】
（付記２）
前記グルーピングの際に、前記複数の通信端末のうち、各通信端末の無線品質に応じて一の親端末を決定することを特徴とする付記１に記載の無線通信システム。
【０１４８】
（付記３）  前記グルーピングの際に、前記子端末が、自端末の端末情報を暗号化して、当該暗号化した端末情報を親端末に送信し、前記無線制御サーバが、前記親端末からの暗号化された端末情報を復号すると共に、前記親端末から送信された親端末の端末情報及び当該復号した子端末の端末情報に基づき、前記共有チャネルにおける帯域を割り当てることを特徴とする付記１に記載の無線通信システム。
【０１４９】
（付記４）  前記共有チャネルにおける帯域は、前記親端末及び／又は子端末の台数に基づき、当該帯域を割り当てることを特徴とする付記３に記載の無線通信システム。
【０１５０】
（付記５）  前記親端末が、自端末の端末情報及び前記子端末から取得した子端末の端末情報を、経路暗号化技術により、前記無線制御サーバに送信することを特徴とする付記１乃至付記４のいずれかに記載の無線通信システム。
【０１５１】
（付記６）  前記無線制御サーバが、前記親端末から送信された子端末の端末情報に基づき、当該子端末に対して加入者認証を行うことを特徴とする付記１乃至付記５のいずれかに記載の無線通信システム。
【０１５２】
（付記７）  近距離通信で互いに連携可能であり、同一のデータを要求する複数の通信端末のうち、一の親端末を決定すると共に、当該親端末が親端末以外の通信端末を子端末としてグルーピングする通信端末群に対して、前記データを提供するサーバとのデータのアクセスにあたり、当該親端末に対して共有チャネルにおける帯域を割り当てる無線制御サーバであって、前記通信端末から受信した端末情報が複数の端末情報であるか否かを判定する加入者認証部と、前記加入者認証部による判定結果に基づき、前記親端末に対する共有チャネルの占有率を決定する共有チャネルリソース情報判断部と、前記決定した占有率に基づき、前記親端末に対して共有チャネルにおける帯域を割り当てる共有チャネルリソース割当制御部と、を備えていることを特徴とする無線制御サーバ。
【０１５３】
（付記８）  前記共有チャネルにおける帯域は、前記親端末及び／又は子端末の台数に基づき、当該帯域を割り当てることを特徴とする付記３に記載の無線制御サーバ。
【０１５４】
（付記９）  近距離通信で互いに連携可能であり、同一のデータを要求する複数の通信端末のうち、一の親端末を決定すると共に、当該親端末が親端末以外の通信端末を子端末としてグルーピングする通信端末群における、通信端末であって、前記データを選択する入力部と、前記データを提供するサーバとのデータのアクセスにあたり、前記親端末に対する共有チャネルにおける帯域を割り当てる無線制御サーバ、又は他の通信端末との無線通信を、キャリアコアネットワークを介して行う遠距離無線通信部と、前記キャリアコアネットワークを介することなく、前記他の通信端末との無線通信又は有線通信を行う近距離通信部と、自端末の端末情報を格納する端末情報格納部と、前記サーバからアクセスしたデータを格納するデータ格納部と、自端末が親端末になるか否かを判定すると共に、自端末が親端末になる場合に、前記端末情報格納部から自端末の端末情報を取得し、当該自端末の端末情報及び前記子端末から受信した子端末の端末情報を、前記無線制御サーバに対して送信するアプリケーション部と、を備え、前記アプケーション部が、自端末が親端末である場合に、前記無線制御サーバからのデータを受信し、当該データを前記データ格納部に格納すると共に、当該データを前記子端末に送信することを特徴とする通信端末。
【０１５５】
（付記１０）  自端末における無線品質を測定し、当該測定した無線品質の情報を格納する無線品質状況管理部を備え、前記アプリケーション部が、前記無線品質状況管理部から自端末の無線品質情報を取得し、当該自端末の無線品質情報及び他の通信端末から受信した当該他の通信端末の無線品質情報を比較して、自端末が親端末になるか否かを判定することを特徴とする付記９に記載の通信端末。
【０１５６】
（付記１１）  近距離通信で互いに連携可能であり、同一のデータを要求する複数の通信端末のうち、一の親端末を決定すると共に、当該親端末が親端末以外の通信端末を子端末としてグルーピングする通信端末群における、通信端末のコンピュータを機能させる制御プログラムであって、コンピュータを、前記データを選択する入力手段と、前記データを提供するサーバとのデータのアクセスにあたり、前記親端末に対する共有チャネルにおける帯域を割り当てる無線制御サーバ、又は他の通信端末との無線通信を、キャリアコアネットワークを介して行う遠距離無線通信手段と、前記キャリアコアネットワークを介することなく、前記他の通信端末との近距離無線通信又は有線通信を行う近距離通信手段と、自端末の端末情報を格納する端末情報格納手段と、前記サーバからアクセスしたデータを格納するデータ格納手段と、自端末が親端末になるか否かを判定すると共に、自端末が親端末になる場合に、前記端末情報格納手段から自端末の端末情報を取得し、当該自端末の端末情報及び前記子端末から受信した子端末の端末情報を、前記無線制御サーバに対して送信するアプリケーション手段として機能させる制御プログラム。
【０１５７】
（付記１２）  前記コンピュータを、自端末における無線品質を測定し、当該測定した無線品質の情報を格納する無線品質状況管理手段として機能させ、前記アプリケーション手段が、前記無線品質状況管理手段から自端末の無線品質情報を取得し、当該自端末の無線品質情報及び他の通信端末から受信した当該他の通信端末の無線品質情報を比較して、自端末が親端末になるか否かを判定することを特徴とする付記１１に記載の制御プログラム。
【符号の説明】
【０１５８】
１      入力部、第１の入力部、第２の入力部
１ａ，１ｂ    入力部
２      近距離通信部、第１の近距離通信部、第２の近距離通信部
２ａ    近距離通信部、第３の近距離通信部
２ｂ    近距離通信部
３，３ｂ      遠距離無線通信部
３ａ    遠距離無線通信部、第３の遠距離無線通信部
４，４ａ，４ｂ      無線品質状況管理部
５，５ｂ      端末情報格納部
５ａ    端末情報格納部、第３の端末情報格納部
６，６ｂ      データ格納部
６ａ    データ格納部、第３のデータ格納部
７      アプリケーション部、第１のアプリケーション部、第２のアプリケーション部
７ａ    アプリケーション部、第３のアプリケーション部
７ｂ    アプリケーション部
８，８ａ，８ｂ      端末側暗号部
９，９ａ，９ｂ      端末側通信経路保障部
１０    通信端末、第１の通信端末、第３の通信端末、第２の通信端末
１０ａ  親端末
１０ｂ  子端末
１１，１１ａ，１１ｂ    端末側復号部
１００  キャリアコアネットワーク
１１０  無線制御サーバ
１１１  加入者認証部
１１２  共有チャネルリソース情報判断部
１１３  共有チャネルリソース割当制御部
１１４  回線使用料課金要求部
１１５  サーバ側復号部
１１６  サーバ側通信経路保障部
１１７  フィルタリング部
１２０  加入者情報管理サーバ
１３０  課金管理サーバ
１３１  課金変更部
１４０  ゲートウェイサーバ
２００  外部ネットワーク
２１０  アプリケーションサーバ
２１１  通信部
２１２  サーバ側暗号部
【図１Ｂ】
2010233104.tif 000003
【図２Ａ】
2010233104.tif 000004
【図２Ｂ】
2010233104.tif 000005
【図３】
2010233104.tif 000006
【図４】
2010233104.tif 000007
【図５】
2010233104.tif 000008
【図６】
2010233104.tif 000009
【図７】
2010233104.tif 000010
【図８】
2010233104.tif 000011
【図９】
2010233104.tif 000012
【図１０】
2010233104.tif 000013
【図１１】
2010233104.tif 000014
【図１２】
2010233104.tif 000015
【図１３】
2010233104.tif 000016
【図１４】
2010233104.tif 000017
【図１５】
2010233104.tif 000018
【図１６】
2010233104.tif 000019
【図１７】
2010233104.tif 000020
【図１８】
2010233104.tif 000021
【図１９】
2010233104.tif 000022
【図２０Ａ】
2010233104.tif 000023
【図２０Ｂ】
2010233104.tif 000024
【図２０Ｃ】
2010233104.tif 000025
【図１Ａ】
2010233104.tif 000026